(57)【要約】【課題】運転時に前部上下風向板が本体と干渉しないように、吹出口の出口端部で露付きが防止できる空気調和装置を実現する。【解決手段】本発明の空気調和装置は、吹出口に位置し、吹出口を開閉するとともに、吹出口から吹き出される空気を上下方向に偏向する上下風向板を備え、上下風向板は、後部上下風向板、及び、後部上下風向板よりも前側に位置する前部上下風向板を有し、前部上下風向板は、吹出口よりも幅が広く、且つ、吹出口の長手方向に複数のアームを介して風向板駆動装置と接続され、運転停止位置における前部上下風向板の風上側端から前部上下風向板の回転軸の中心までの距離Ｌ１と、本体下面外形と接するまで回転した最大角度位置における前部上下風向板の風上側端と吹出口上面と同一面との最短距離Ｌ２と、の関係が、Ｌ１＞Ｌ２となるように、前部上下風向板の回転軸の中心が位置する。【選択図】  図１
2014199177.tif 000002
【特許請求の範囲】
【請求項１】
吹出口に位置し、前記吹出口を開閉するとともに、前記吹出口から吹き出される空気を上下方向に偏向する上下風向板を備え、
前記上下風向板は、後部上下風向板、及び、前記後部上下風向板よりも前側に位置する前部上下風向板を有し、
前記前部上下風向板は、前記吹出口よりも幅が広く、且つ、前記吹出口の長手方向に複数のアームを介して風向板駆動装置と接続され、
運転停止位置における前記前部上下風向板の風上側端から前記前部上下風向板の回転軸の中心までの距離Ｌ１と、本体下面外形と接するまで回転した最大角度位置における前記前部上下風向板の風上側端と前記吹出口上面と同一面との最短距離Ｌ２と、の関係が、
Ｌ１＞Ｌ２
となるように、前記前部上下風向板の前記回転軸の中心が位置する空気調和装置。
【請求項２】
請求項１において、前記前部上下風向板と前記前部風向板の前記回転軸との間に補助風向板を設けた空気調和装置。
【請求項３】
請求項２において、
冷房運転時の上向き風向の場合に、前記前部上下風向板が上向き角度で、前記補助風向板が床面に対し水平方向に向かい、
暖房運転時の下向き風向の場合に、前記前部上下風向板が下向き角度で、前記補助風向板が床面に対し垂直方向に向かい、
前記補助風向板の前後端部を結んだ前端部側の延長線が前部上下風向板と交わるように、前記補助風向板を配置した空気調和装置。
【請求項４】
請求項２において、前記吹出口の出口端角部に凸部を設けた空気調和装置。
【発明の詳細な説明】
【技術分野】
【０００１】
本発明は、空気調和装置に関する。
【背景技術】
【０００２】
従来の空気調和装置においては、停止時には吹出部を閉じ、運転時には吹出部を開くように上下風向板が設けられている。
【０００３】
特に最近の空気調和装置においては、室内機の設置空間への調和や意匠性を向上させるために、実際の吹出口よりも横幅が広い上下風向板が設けられたものが提案されている。
【０００４】
例えば特許文献１のように、上下風向板の回転軸とその駆動装置の回転軸をずらして設置し、さらに上下風向板の回転軸とその駆動装置の回転軸とを結合する駆動機構を備えたものが開示されており、室内機の意匠性を向上させるだけでなく、室内水平方向の送風幅を拡大して、室内の送風分布を改善することができるという効果がある。
【０００５】
一方、空気調和装置では一般に、暖房運転時には暖かい空気を足元に向けるように、吹出口の上下風向板を下向きにし、冷房運転時は上下風向板をほぼ水平にして、冷えた空気が顔や頭の近くを流れるようにして快適性を確保している。これは、自然対流で暖かい空気は上に、冷たい空気は下に向かうので、前記のようにすることにより、室内全体に暖房／冷房効果が行き渡り、快適な室内になるためである。
【０００６】
このとき、特に冷房運転において、周囲空気と吹出し空気の接する箇所である上下風向板の端部や吹出口の出口端部で、高湿空気が周囲温度より低い固体表面で冷却され、結露を生じることがある。結露は、長時間運転により滴下する恐れがあり、ユーザーにとって重大なクレームとなる。これを防止するため、結露を生じる恐れのあると箇所に吸湿効果のある部材を貼付したり、周囲部材と断熱する部材で構成するのが一般的であるが、ほかに、特許文献２のように吹出口に設けられた上下風向板を下向きにした状態で吹出口に補助風向板を下向きに固定又は回転可能に設けることで、結露を防止しているものもある。
【先行技術文献】
【特許文献】
【０００７】
【特許文献１】特開２００２−１０６９４８号公報
【特許文献２】特開平７−７７３５１号公報
【発明の概要】
【発明が解決しようとする課題】
【０００８】
しかしながら、特許文献１に記載の上下風向板と駆動装置の構成では、上下風向板の回転軸とその駆動装置の回転軸が風路の内側にあることで通風抵抗の増大が懸念される。
【０００９】
また、吹出口の出口端部などの冷風による露付きを防止するため、吸湿効果のある別部材を利用すると、使用時にその別部材がユーザーに見えることで意匠性を損なったり、コストが増大する。あるいは、特許文献２に記載の構成で露付きを防止できたとしても、吹出口よりも横幅が長い上下風向板を本体外形に干渉することなく構成することができない。
【００１０】
本発明は、特に運転時に前部上下風向板が本体と干渉しないように、吹出口の出口端部で露付きが防止できる空気調和装置を提供することを課題とする。
【課題を解決するための手段】
【００１１】
本発明においては、上記課題を解決するため、複数の上下風向板で吹出口を覆うことができ、前側の上下風向板が本体の吹出口よりも幅の広い空気調和装置において、前記前側の上下風向板は、本体外形に沿うように、吹出口の横方向に複数のアームで風向板駆動装置と接続され、運転停止位置における前記前側の上下風向板の風下上側端から前記前側の上下風向板回転軸の中心までの距離Ｌ１と、本体下面外形と接するまで回転した最大角度位置における前記前側の上下風向板の風上側端と、吹出口上面と同一面との最短距離Ｌ２の関係がＬ１＞Ｌ２である位置に前記前側の上下風向板回転軸の中心を設けた。
【００１２】
さらに、前記風向板と前記風向板の回転軸の間に補助風向板を設け、冷房運転など上向き風向の場合に、前部上下風向板が上向き角度で、前記補助風向板が床面に対し水平になるよう、暖房運転など下向き風向の場合に、前部上下風向板が下向き角度で、前記補助風向板が床面に対しほぼ垂直を為す角度になるように、前記補助風向板の前後端部を結んだ前端部側の延長線が前部上下風向板と交わる角度で設置し、吹出口の出口端角部に凸部を設けた。
【発明の効果】
【００１３】
本発明によれば、運転時に前部上下風向板が本体と干渉しないように、運転時に前部上下風向板が本体と干渉しないように、吹出口の出口端部で露付きが防止できる。
【図面の簡単な説明】
【００１４】
【図１】本発明に係る実施形態の室内機の運転中を示す斜視図。
【図２】本発明に係る実施形態の室内機の運転中を示す要部縦断面図。
【図３】本発明に係る実施形態の室内機の運転停止中を示す斜視図。
【図４】本発明に係る実施形態の室内機の運転停止中を示す要部縦断面図。
【図５】本発明の実施形態に係る図２の吹出口付近の拡大図。
【図６】本発明の実施形態に係る図４の吹出口付近の拡大図。
【図７】本発明の実施形態に係る図２の吹出口付近の冷房運転時を示す拡大図。
【図８】本発明の実施形態に係る図２の前部上下風向板１２周辺の冷房運転時の流れ状態を示す拡大図。
【図９】本発明の実施形態に係る図２の吹出口付近の極弱い冷房または暖房運転時の状態を示す拡大図。
【図１０】本発明の実施形態に係る図２の吹出口付近の暖房運転時の状態を示す拡大図。
【発明を実施するための形態】
【００１５】
以下、本発明の実施形態について添付図面を参照して説明する。なお、同様な部位や矢印などは同一符号をもって示し、重複した説明を省略する。
【００１６】
本発明に係る空気調和装置の室内機構成，機能および動作について説明する。
【００１７】
はじめに、図１から図６を参照して、この発明の実施例に係る空気調和装置の室内機の構成を具体的に説明する。ここで、この発明に係る空気調和装置の室内機において、図１は運転中の斜視図であり、図２は運転中の要部縦断面図である。図３は運転停止時の斜視図であり、図４は運転停止時の要部縦断面図である。また、図５は図２における吹出口４付近の吹出口拡大図１００であり、図６は図４における吹出口４付近の吹出口拡大図１０１である。
【００１８】
先ず、本実施例に係る空気調和装置の概略構造を説明する。本実施例に係る空気調和装置は、圧縮機，室外熱交換器，室外送風機，四方弁，膨張弁を備え、屋外に設置される図示しない室外機と、図１，図２に示す室内熱交換器５，室内貫流ファン６を備え、室内壁面に取り付けられる室内機とを図示しない冷媒配管を介して接続することで、室内の空調を可能にするものである。
【００１９】
図１において室内機は、奥行寸法より高さ寸法が大きく、高さ寸法より横幅寸法が大きい横長の筺体１を備えている。筺体１は、筺体１上面に形成される上部吸込部２と、筺体１の前面上部に形成される前部吸込部３とから取り込んだ空気を筺体１の下面前部に形成される吹出口４から吹出す空気流路が内部に形成されている。そして、図２に示すように室内貫流ファン６が空気流路の中央に、筐体１内の空気流路長手方向と一致した長さで配置されている。さらに、図１に示すように、室内貫流ファン６の前後には、前部ドレン皿７と、後部ドレン皿８が設けられ、この前部ドレン皿７と後部ドレン皿８を跨いで室内貫流ファン６の上部を覆うように室内熱交換器５が配置されている。
【００２０】
また、本実施例の室内空気取入口は、常に開放して設けられる上部吸込部２と、可動パネル９が開閉可能に設けられる前部吸込部３とから構成される。図２に示すように、上部吸込部２は、ほぼ水平な上面に設けられ、前部吸込部３は、ほぼ垂直な筺体１前面の上部３／５程度の大きさをもって形成される。そして、筺体１前面の上部に形成される前部吸込部３を、可動パネル９により開閉する構造を備えている。可動パネル９は、板状の部材で形成され、可動パネル９下端部はパネル回転軸１０を介して回転可能に取り付けられ、可動パネル９上部は、筺体１内に設けられるパネル駆動機構部１１と接続されている。
【００２１】
本構造によれば、パネル駆動機構部１１を動作させることにより、可動パネル９を、パネル回転軸１０を中心に揺動させ、図１，図２に示すように前部吸込部３を開放させた状態と、図３，図４に示すように前部吸込部３を閉じた状態とを取らせることができる。
【００２２】
また、図２に示すように、吹出口４は、室内貫流ファン６により生成される空気流を前方に効率よく吹出せるように、筺体１の長手方向に沿って形成され、室内貫流ファン６と前部ドレン皿７の下方は大きく開放される。
【００２３】
さらに吹出口４には、前部上下風向板１２と後部上下風向板１３とからなる板状の風向板が設けられている。前部上下風向板１２は、吹出口４から吹出される空気流のガイドの機能（吹出口４から吹出される空気流の上下方向の風向を偏向する）と、可動パネル９のパネル回転軸１０近傍を目立たなくする化粧部材の機能を備えている。
【００２４】
図３に示すように、この実施例の可動パネル９は、正面を上下に分割するように、正面の上部全体を覆う構造としているため、パネル回転軸１０近傍の隙間は、筺体１の横幅一杯まで生じる。そこで本実施例では、前部上下風向板１２の横幅を、可動パネル９下部に隣接して形成される筺体面を覆う大きさ、即ち、筺体１の横幅とほぼ同じ大きさに設定している。
【００２５】
さらに、前部上下風向板１２の奥行き寸法は後部上下風向板１３の奥行き寸法より小さく形成され、前部上下風向板１２を閉じた状態で、前部吸込部３と吹出口４との間に形成される筺体面を覆う大きさを備えている。
【００２６】
また、前部上下風向板１２は、図１に示すように吹出口４の横方向（長手方向）に複数のアーム１６により、吹出口４の前方に配置される前部上下風向板回転軸１７と接続され、図示しない風向板駆動装置により回転可能に設けられる。
【００２７】
一方、後部上下風向板１３は、吹出口４から吹出される空気流のガイドの機能と、閉じた時に吹出口４を隠蔽する機能を備えている。このため、後部上下風向板１３の横幅は、吹出口４の前部を覆うことができる大きさに設定している。後部上下風向板１３の奥行き寸法は、後部上下風向板１３を閉じた状態で前部上下風向板回転軸１７付近（前部上下風向板１２の後端部）までを覆う大きさを備えている。後部上下風向板１３は、吹出口４の横方向に複数のアームで図示しない風向板駆動装置と接続され、吹出口４の後方に配置される後部上下風向板回転軸１８を中心に回転可能に設けられる。
【００２８】
ここで、吹出口４の構成について、図５を用いて詳細に説明する。吹出口４の前方に設けられる前部上下風向板１２には、前部上下風向板１２のアーム１６に接続された前部補助風向板１５が設置されている。前部補助風向板１５は、冷房運転など上向き風向の場合、前部上下風向板１２が上向き角度で、前部補助風向板１５が床面に対し水平になるよう、暖房運転など下向き風向の場合、前部上下風向板１２′が下向き角度で、前部補助風向板１５が床面に対しほぼ垂直を為す角度になるよう、前部補助風向板１５の前後端部を結んだ前端部側の延長線が前部上下風向板１２と交わる角度で設置される。
【００２９】
また、吹出口４の出口上端角部には、凸部１４を設けている。凸部１４は頂部が吹出口上面２００に対し流路と反対側になるよう形成され、吹出口上面２００の流路が滑らかに上方向に拡大する形状になる。また、凸部１４は、吹出口４の横幅全体に同じ断面で設けられる。
【００３０】
続いて、前部上下風向板回転軸１７の中心位置について、図６を用いて詳細に説明する。図６で、点Ｃは前部上下風向板回転軸１７の中心である。点Ｄ１は運転停止角度位置における前部上下風向板１２の風上側端であり、吹出口上面２００に対し風路と反対側にある。また、点Ｄ２は吹出風を下方へ導くための最大角度位置における前部上下風向板１２′の風上側端である。さらに、面Ｙは、吹出口上面２００と同一面を、面Ｚは、本体下面外形を示す。
【００３１】
ここで、点Ｃは、Ｄ１からＣまでの距離Ｌ１と、Ｚと接するまで前部上下風向板１２′が回転した点Ｄ２とＹとの最短距離Ｌ２の関係がＬ１＞Ｌ２である位置に設けられる。
【００３２】
上述した関係を満たす位置に前部上下風向板回転軸１７の中心Ｃを設けることで、例えば本実施例のように、前部上下風向板１２の横幅を筺体１とほぼ同じ大きさにすることができ、意匠性の高い室内機が実現できる。
【００３３】
本実施例では、室内貫流ファン６や可動パネル９の駆動機構部及び前部上下風向板１２，後部上下風向板１３の駆動機構部などは、筺体１内に設けられる図示しない制御部によって統括制御され、また、制御部は図示しない遠隔操作装置によって操作指示を受付けることができる。このため筺体１面の片側に、図示しない遠隔操作機との間で操作信号を送受信する信号送受信部が設けられている。
【００３４】
本実施例に係る制御部は、運転状態では、図１，図２に示すように、可動パネル９と前部上下風向板１２，後部上下風向板１３を開放するように制御し、運転停止状態では、図３，図４に示すように、可動パネル９と前部上下風向板１２，後部上下風向板１３を閉じて、前部吸込部３と吹出口４を隠蔽するように制御する。
【００３５】
続いて、本実施例における各運転状態における動作の詳細について説明する。室内機が運転状態のとき、室内貫流ファン６を動作させることにより、上部吸込部２と大きく開放した前部吸込部３から室内空気を取り込み、室内熱交換器５により運転モードに応じた温湿度に熱交換を行い、熱交換された室内空気を運転モードに対応して所定角度に開放した前部上下風向板１２，後部上下風向板１３に従って吹き出すことができる。
【００３６】
冷房運転時の前部上下風向板１２，後部上下風向板１３の状態について図７を用いて説明する。図７は図２における吹出口４付近の吹出口拡大図１００で、前部上下風向板１２，後部上下風向板１３は冷房運転時の位置に回転した図である。
【００３７】
空気調和装置を冷房運転する時には図７のように前部上下風向板１２は水平な向きに、後部上下風向板１３は吹出口上面２００と略平行な向きにして使用される。吹出口４より吐出された冷風は、上流側の室内熱交換器５により冷却減湿されているため周囲空気よりも温度が低く密度が大きく、下方へ流出するが、後部上下風向板１３により上方へ持ち上げられる。一方、吹出口上面２００では前部上下風向板１２およびそのアーム１６に設けられた前部補助風向板１５により、前方へ導かれ、吹出口４出口の拡大流路による流れの散逸を防ぎより遠方に冷風を導いている。
【００３８】
ここで、吹出口４出口端部に設けられた凸部１４と前部補助風向板１５，前部上下風向板１２周辺の流れに対しての本実施例を用いた場合の効果について図８（ａ），（ｂ）を用いて説明する。図８（ａ）は吹出口４出口端部に凸部１４がない場合の吹出口４周辺を示し、（ｂ）は本実施例の吹出口４出口端部に凸部１４を設けた場合を示す。図８（ａ）において、吹出口４出口端と、前部補助風向板１５の後端の間に風向板を稼動させるため隙間がある。吹出口４を流れる冷風（吹出し空気流れ（冷風）６３）がこの隙間を通過する際、流れの一部が流出し、吹出口４出口端で流速が減少し、風路と反対側の吹出口４出口端付近に周囲空気の流れ６１と混合しやすい領域Ｘができる。冷却減湿された冷風（吹出し空気流れ（冷風）６３）に対して周囲空気の流れ６１は高湿であり、これらが混合することで、吹出口４出口端の表面で結露が生じる。
【００３９】
一方、図８（ｂ）では、凸部１４により上述した隙間が狭くなるため、流出する流れが減少し、さらに、凸部により流路形状が滑らかになるため、流れの一部が流出しても流速が減少せずに周囲空気の流れ６１と混合されにくくなり、領域Ｘが小さくなる。その結果、吹出口４出口端部表面の結露を防止できる。
【００４０】
さらに、前部補助風向板１５は、床面に対し水平で、前部上下風向板１２に対し、前後端部を結んだ前端部側の延長線が前部上下風向板１２と交わる角度で設けられているため、冷風はすぐに下方へ向かわずに部屋全体にいきわたり、室内を快適な温湿度に保つ。
【００４１】
次に、上向き風向時の前部上下風向板１２，後部上下風向板１３の状態について図９を用いて説明する。図９は図２における吹出口４付近の吹出口拡大図１００で、上前部上下風向板１２，後部上下風向板１３は極弱い冷房または暖房運転の位置に回転している。
【００４２】
本運転時では図９のように前側上下風向板１２をやや上向きにし、後部上下風向板１３をほぼ閉じる向きにする。これにより、吹出し空気の一部（吹出し空気流れ（微弱な冷風または温風）７１）が極弱い風（吹出し空気流れ（微弱な冷風または温風）７２）となって上方にふんわりと室内に拡散し、微弱な冷房または暖房を行う。さらに、吹出した風をすぐさま、上部吸込部２，前部吸込部３から吸込ませるショートサーキット運転を行うことで、熱交換器の乾燥運転や空気調和装置内部の脱臭運転などの空気調和装置のメンテナンス動作を行わせることも可能となる。
【００４３】
次に、暖房運転時の前部上下風向板１２，後部上下風向板１３の状態について図１０を用いて説明する。図１０は図２における吹出口４付近の吹出口拡大図１００であるが、前部上下風向板１２，後部上下風向板１３は暖房運転の位置に回転している。
【００４４】
空気調和装置を暖房運転する時には、前部上下風向板１２，後部上下風向板１３は図１０のようにそれぞれほぼ垂直に近い向きにして使用される。吹出口４から吐出される温風（吹出し空気流れ（温風）８１）は、周囲空気より密度が小さいために上方へ浮き上がろうとする。しかし、前部上下風向板１２，後部上下風向板１３により下方（吹出し空気流れ（温風）８２）へ導かれる。このとき前部上下風向板１２および、そのアーム１６に設けられた前部補助風向板１５は、温風（吹出し空気流れ（温風）８１）を押さえ込み、下方（吹出し空気流れ（温風）８２）へと導いている。この結果、温風は、吹出口４から吐出してすぐに上方へ向かわずに、床面近くまで到達して、足もと近くを暖め、室内を快適な環境にする。
【００４５】
以上、各運転モードでの前部上下風向板１２，後部上下風向板１３の動作について述べたが、上述した動作のほかにユーザーの希望に応じて、適宜、前部上下風向板１２，後部上下風向板１３の方向をリモコンで変更することもできる。
【符号の説明】
【００４６】
１  筐体
２  上部吸込部
３  前部吸込部
４  吹出口
５  室内熱交換器
６  室内貫流ファン
７  前部ドレン皿
８  後部ドレン皿
９  可動パネル
１０  パネル回転軸
１１  パネル駆動機構部
１２，１２′  前部上下風向板
１３  後部上下風向板
１４  凸部
１５  前部補助風向板
１６  アーム
１７  前部上下風向板回転軸
５７  凸部なし前部ドレン皿
６１  周囲空気の流れ
６３  吹出し空気流れ（冷風）
７１，７２  吹出し空気流れ（微弱な冷風または温風）
８１，８２  吹出し空気流れ（温風）
１００，１０１  吹出口拡大図
２００  吹出口上面
【図１】
2014199177.tif 000003
【図２】
2014199177.tif 000004
【図３】
2014199177.tif 000005
【図４】
2014199177.tif 000006
【図５】
2014199177.tif 000007
【図６】
2014199177.tif 000008
【図７】
2014199177.tif 000009
【図８】
2014199177.tif 000010
【図９】
2014199177.tif 000011
【図１０】
2014199177.tif 000012